(57)【要約】【課題】  複数のＬＥＤからの光源光を効率的に利用して高輝度の照明を達成することができる照明装置を提供すること。【解決手段】  複数のＬＥＤ２１ｃａ〜２１ｃｇがほぼ最密状態の配置となっている。これにより、固体光源であるＬＥＤ２１ｃの実装密度を高めることができ、各ＬＥＤ２１ｃａ〜２１ｃｇからの光源光を効率的に利用して均一な照明を達成することができる。Ｇ光照明装置２１では、第１光源ユニット２１ａからの第１照明光ＩＧを集光レンズ２１ｆを介して液晶ライトバルブ３１上に重畳的に入射させているが、第１光源ユニット２１ａが点状光源である方が照明光率が良い。一方、単一のＬＥＤで光源を構成すれば点光源を得やすいが、十分な光量を確保することは必ずしも容易でない。そこで、複数のＬＥＤ２１ｃをほぼ最密状態に配置することとして、均一な照明を達成しつつ十分な照明光量を確保できるようにしている。【選択図】  図３
2005084402.tif 000002
【特許請求の範囲】
【請求項１】
複数の固体光源からの光源光を合成した照明光を射出する照明装置であって、
前記複数の固体光源は、表面実装基板上に２次元的配列で取り付けられており、中心に配置された第１発光素子と、当該第１発光素子と略同一形状を有し当該第１発光素子の周囲に近接して配置された６つの第２発光素子とを含み、
前記第１発光素子から延びる一対の電極は、隣接する第１対の第２発光素子の隙間に対応する第１方向と、当該第１対の第２発光素子に前記第１発光素子を挟んで対向する第２対の第２発光素子の隙間に対応する第２方向とにそれぞれ延びていることを特徴とする照明装置。
【請求項２】
各第２発光素子から延びる一対の電極は、前記第１方向及び前記第２方向にそれぞれ平行に延びることを特徴とする請求項１記載の照明装置。
【請求項３】
前記第１方向及び前記第２方向は、前記第１発光素子と前記第１対の第２発光素子の一方とが並ぶ基準方向に対して約４５゜傾いていることを特徴とする請求項１及び請求項２のいずれか一項記載の照明装置。
【請求項４】
前記第１及び第２発光素子は、全体として直列に接続されていることを特徴とする請求項１から請求項３のいずれか一項記載の照明装置。
【請求項５】
複数の固体光源からの光源光を合成した照明光を射出する照明装置であって、
前記複数の固体光源は、基板上に２次元的配列で取り付けられており、中心に配置された第１発光素子と、当該第１発光素子の周囲に近接して配置された複数の第２発光素子とを含み、
前記第１発光素子の光束量は、前記第２発光素子の光束量よりも大きいことを特徴とする照明装置。
【請求項６】
複数の固体光源からの光源光を合成した照明光を射出する照明装置であって、
前記複数の固体光源は、基板上に取り付けられて所定の間隔で２次元的に配列されており、被照射領域を構成する複数の部分領域をそれぞれ重点的に照明し、
前記被照射領域のうち倍率の大きな部分領域を主に照明する固体光源の光束量は、前記被照射領域のうち倍率の小さな部分領域を主に照明する固体光源の光束量よりも大きいことを特徴とする照明装置。
【請求項７】
複数の固体光源からの光源光を部分的に重畳して被照射領域上に入射させるレンズをさらに備えることを特徴とする請求項１から請求項６のいずれか一項記載の照明装置。
【請求項８】
請求項１から請求項７のいずれか一項記載の照明装置と、
前記照明装置から射出された照明光によって照明される空間光変調装置と、
前記空間光変調装置からの像光を投射する投射光学系と、
を備えるプロジェクタ。
【請求項９】
請求項１から請求項７のいずれか一項記載の照明装置に相当する各色の照明装置と、
前記各色の照明装置から射出された各色の照明光によってそれぞれ照明される各色の空間光変調装置と、
前記各色の空間光変調装置でそれぞれ変調された各色の像光を合成して射出する光合成光学系と、
前記光合成光学系を経て合成された像光を投射する投射光学系と、
を備えるプロジェクタ。
【発明の詳細な説明】
【技術分野】
【０００１】
本発明は、液晶ライトバルブその他の空間光変調装置を用いて画像を投射するプロジェクタに関する。
【背景技術】
【０００２】
従来のプロジェクタとして、ＬＥＤ等の固体光源をＲＧＢの各色の光源として用いて各色の液晶ライトバルブを照明するものがある。この場合、複数のＬＥＤを縦横に単純に配列して２次元的な面光源としている（特許文献１等参照）。
【特許文献１】特開２０００−５６４１０号公報
【発明の開示】
【発明が解決しようとする課題】
【０００３】
しかしながら、複数のＬＥＤを縦横に単純に配列した場合、ＬＥＤの配列密度をあまり高くすることができず、各ＬＥＤからの光源光を効率的に利用することができない。特に表面実装型の基板にＬＥＤを取り付ける場合、ＬＥＤを高密度で配置することは困難である。
【０００４】
また、ＬＥＤを２次元的に配列した場合、一般に周辺のＬＥＤからの照明光を液晶ライトバルブに効率的に入射させるためには、高価な均一化光学系を必要とする。
【０００５】
また、液晶ライトバルブが完全に相似な領域に投影されない場合があるが、この場合、拡大率の大きな部分は輝度が低下し、画像全体としてのバランスが崩れ画質が劣化する。
【０００６】
そこで、本発明は、複数のＬＥＤからなる光源からの光源光で液晶ライトバルブを照明する場合にも、各ＬＥＤからの光源光を効率的に利用して高輝度の照明を達成することができる照明装置及びこれを用いたプロジェクタを提供することを目的とする。
【０００７】
また、本発明は、ＬＥＤを２次元的に配列した光源からの照明光を簡易に均一化して、液晶ライトバルブ等を均一に照明することを目的とする。
【０００８】
また、本発明は、液晶ライトバルブ等が部分的に異なる倍率で投影される場合においても、元の画像を輝度に関して正確に再現することを目的とする。
【課題を解決するための手段】
【０００９】
上記課題を解決するため、本発明に係る第１の照明装置は、複数の固体光源からの光源光を合成した照明光を射出する照明装置であって、（ａ）複数の固体光源は、表面実装基板上に２次元的配列で取り付けられており、中心に配置された第１発光素子と、当該第１発光素子と略同一形状を有し当該第１発光素子の周囲に近接して配置された６つの第２発光素子とを含み、（ｂ）第１発光素子から延びる一対の電極は、隣接する第１対の第２発光素子の隙間に対応する第１方向と、当該第１対の第２発光素子に第１発光素子を挟んで対向する第２対の第２発光素子の隙間に対応する第２方向とにそれぞれ延びていることを特徴とする。
【００１０】
上記第１の照明装置では、第１発光素子から延びる一対の電極が、周囲に設けた隣接する第１対の第２発光素子の隙間に対応する第１方向と、これに対向する隙間に対応する第２方向とにそれぞれ延びるので、第１発光素子の周囲に６つの第２発光素子を高い密度で配置することができる。つまり、表面実装基板上に７つ以上の発光素子すなわち固体光源を取り付ける場合において、これら固体光源の実装密度を高めることができる。これにより、各固体光源からの光を効率的に利用して均一な照明を達成することができる。
【００１１】
本発明の具体的態様では、各第２発光素子から延びる一対の電極が、第１方向及び第２方向にそれぞれ平行に延びる。この場合、表面実装基板上に設ける各固体光源の配線パターンが簡単なものとなり、各固体光源の実装作業も簡単なものとなる。
【００１２】
また、本発明の別の具体的態様では、第１方向及び第２方向が、第１発光素子と第１対の第２発光素子の一方とが並ぶ基準方向に対して約４５゜傾いている。
【００１３】
また、本発明の別の具体的態様では、第１及び第２発光素子が、全体として直列に接続されている。この場合、各発光素子に同一の電流を供給して各発光素子をほぼ同等の条件で動作させることができるので、被照射領域における輝度分布をより一様にすることができる。
【００１４】
また、本発明に係る第２の照明装置は、複数の固体光源からの光源光を合成した照明光を射出する照明装置であって、（ａ）複数の固体光源は、基板上に２次元的配列で取り付けられており、中心に配置された第１発光素子と、当該第１発光素子の周囲に近接して配置された複数の第２発光素子とを含み、（ｂ）第１発光素子の光束量は、第２発光素子の光束量よりも大きい。
【００１５】
上記第２の照明装置では、中心に配置された第１発光素子の光束量が周辺に配置された第２発光素子の光束量よりも大きいので、周辺の第２発光素子からの照明光率や光利用効率が悪い場合においても、各発光素子からの照明光を効率的に利用して高輝度でＬＥＤ等の空間光変調装置を照明することができ、或いは空間光変調装置による変調効率を高めることができ、延いては高輝度の画像を投射することができる。
【００１６】
また、本発明に係る第３の照明装置は、複数の固体光源からの光源光を合成した照明光を射出する照明装置であって、（ａ）複数の固体光源は、基板上に取り付けられて所定の間隔で２次元的に配列されており、被照射領域を構成する複数の部分領域をそれぞれ重点的に照明し、（ｂ）被照射領域のうち倍率の大きな部分領域を主に照明する固体光源の光束量は、被照射領域のうち倍率の小さな部分領域を主に照明する固体光源の光束量よりも大きい。
【００１７】
上記第３の照明装置では、被照射領域のうち倍率の大きな部分領域を主に照明する固体光源の光束量が、被照射領域のうち倍率の小さな部分領域を主に照明する固体光源の光束量よりも大きいので、液晶ライトバルブ等の空間光変調装置が部分的に異なる倍率で投影される場合であっても、その倍率差を補償するような輝度で空間光変調装置を照明することができるので、元の画像を輝度に関しても正確に再現することができる。
【００１８】
また、本発明の具体的態様では、複数の固体光源からの光源光を部分的に重畳して被照射領域上に入射させるレンズをさらに備える。この場合、被照射領域の照度分布がより均一になり、高品質の画像を投射することができる。
【００１９】
また、本発明に係る第１のプロジェクタは、（ａ）上述のいずれかの照明装置と、（ｂ）照明装置から射出された照明光によって照明される空間光変調装置と、（ｃ）空間光変調装置からの像光を投射する投射光学系とを備える。
【００２０】
上記第１のプロジェクタでは、上述のような特徴を有する本発明の照明装置を用いているので、各固体光源からの光を効率的に利用して均一な照明を達成することができ、或いは投影倍率差を補償するような輝度で空間光変調装置を照明することができるので、高輝度で高画質の画像を投射することができる。
【００２１】
また、本発明に係る第２のプロジェクタは、（ａ）上述のいずれかの照明装置に相当する各色の照明装置と、（ｂ）各色の照明装置から射出された各色の照明光によってそれぞれ照明される各色の空間光変調装置と、（ｃ）各色の空間光変調装置でそれぞれ変調された各色の像光を合成して射出する光合成光学系と、（ｃ）光合成光学系を経て合成された像光を投射する投射光学系とを備える。
【００２２】
上記第２のプロジェクタでも、上述のような特徴を有する本発明の照明装置を用いているので、各固体光源からの光を効率的に利用して均一な照明を達成することができ、或いは投影倍率差を補償するような輝度で空間光変調装置を照明することができるので、高輝度で高画質のカラー画像を投射することができる。
【発明を実施するための最良の形態】
【００２３】
〔第１実施形態〕
図１は、本発明の第１実施形態に係るプロジェクタの全体構造を説明する側面図である。このプロジェクタ１０は、背面投写によって画像を表示するリヤプロジェクションタイプの装置であり、筐体であるケース１２の底部にプロジェクタ本体１４を備え、ケース１２内の背面側上部に反射ミラー１６を備え、ケース１２正面に透過型スクリーン１８を備える。プロジェクタ本体１４から射出された像光は、光軸ＯＡ１に沿って後方斜め上に進行し、反射ミラー１６で水平な光軸ＯＡ２方向に折り曲げられて透過型スクリーン１８に入射する。なお、これらプロジェクタ本体１４、反射ミラー１６、及び透過型スクリーン１８は、不図示の手段によってケース１２内に位置決めして固定されている。
【００２４】
図２は、図１に示すプロジェクタ１０のうちプロジェクタ本体１４の構造を概念的に説明するブロック図である。このプロジェクタ本体１４は、照明装置２０と、光変調装置３０と、投射レンズ４０と、制御装置５０とを備える。ここで、照明装置２０は、Ｇ光照明装置２１と、Ｂ光照明装置２３と、Ｒ光照明装置２５と、光源駆動装置２７とを有する。また、光変調装置３０は、空間光変調装置である３つの液晶ライトバルブ３１，３３，３５と、光合成光学系であるクロスダイクロイックプリズム３７と、各液晶ライトバルブ３１，３３，３５に駆動信号を出力する素子駆動装置３８とを有する。
【００２５】
Ｇ光照明装置２１は、第１光源ユニット２１ａと、集光レンズ２１ｆとを備える。前者の第１光源ユニット２１ａは、固体光源とも呼ばれる発光素子である複数のＬＥＤ２１ｃを表面実装基板２１ｄ上に２次元的配列で取り付けたものであり、各ＬＥＤ２１ｃは、３原色のうち緑（Ｇ）の範疇に含まれるＧ光をそれぞれ発生する。第１光源ユニット２１ａからの第１照明光ＩＧは、集光レンズ２１ｆによって無駄なく回収されて、光変調装置３０のうちＧ光用の液晶ライトバルブ３１に入射する。この際、各ＬＥＤ２１ｃは、液晶ライトバルブ３１上の被照射領域（画像情報形成領域）を構成する各部分領域をそれぞれ重点的に照明しつつも、集光レンズ２１ｆを介しての均一化及び重畳照明によって、液晶ライトバルブ３１上の被照射領域全体を均一に照明する。なお、図面では省略しているが、集光レンズ２１ｆと液晶ライトバルブ３１との間にフライアイレンズやロッドインテグレータ等を配置することもでき、この場合、第１照明光ＩＧを波面分割と重畳とによってさらに均一化して液晶ライトバルブ３１上の被照射領域に入射させることができる。また、例えば第１光源ユニット２１ａと集光レンズ２１ｆとの間には、偏光変換素子を配置することもでき、この場合、液晶ライトバルブ３１での変調に適した偏光面を有する第１照明光ＩＧを液晶ライトバルブ３１に入射させることができる。また、各ＬＥＤ２１ｃの正面にレンズ要素を配置することもでき、この場合、各ＬＥＤ２１ｃからの照明光を均一かつ効率的に液晶ライトバルブ３１上の被照射領域に入射させることができる。
【００２６】
図３は、第１光源ユニット２１ａの平面図である。図からも明らかなように、第１光源ユニット２１ａは、中心に配置された第１ＬＥＤ２１ｃａと、この第１ＬＥＤ２１ｃａの周囲に近接して配置された６つの第２ＬＥＤ２１ｃｂ〜２１ｃｇとを有する。中心の第１ＬＥＤ２１ｃａから延びる一対の電極端子ＥＴ１，ＥＴ２は、画面の縦方向に対応する基準方向Ｙ（第１ＬＥＤ２１ｃａと第２ＬＥＤ２１ｃｂとが並ぶ方向）に対して約４５゜の角度で延びており、表面実装基板２１ｄ上に形成された配線パターン２１ｈの露出部分に半田付されて電気的接続が確保される。この際、第１ＬＥＤ２１ｃａから延びる一対の電極端子ＥＴ１，ＥＴ２が第１対の第２ＬＥＤ２１ｃｂ，２１ｃｃの隙間に対応する第１方向と、第２対の第２ＬＥＤ２１ｃｅ，２１ｃｆの隙間に対応する第２方向とにそれぞれ延びている。また、各第２ＬＥＤ２１ｃｂ〜２１ｃｇから延びる一対の電極端子ＥＴ１，ＥＴ２も、上記第１方向と第２方向とにそれぞれ平行に延びている。なお、配線パターン２１ｈの両端には、一対の電極パッド２１ｊ，２１ｋが形成されており、直列に接続された全ＬＥＤ２１ｃａ〜２１ｃｇに等しい電流を供給することができ、各ＬＥＤ２１ｃａ〜２１ｃｇを安定した状態で同時に発光させることができる。
【００２７】
以上のようなＬＥＤ２１ｃａ〜２１ｃｇの配列は、表面実装基板２１ｄ上に図示のような配線パターン２１ｈ形成することによって可能になるが、結果的に、７つのＬＥＤ２１ｃａ〜２１ｃｇがほぼ最密状態の配置となっている。これにより、固体光源であるＬＥＤ２１ｃの実装密度を高めることができ、各ＬＥＤ２１ｃａ〜２１ｃｇからの光源光を効率的に利用して均一な照明を達成することができる。具体的に説明すると、図２のＧ光照明装置２１では、第１光源ユニット２１ａからの第１照明光ＩＧを集光レンズ２１ｆを介して液晶ライトバルブ３１上に重畳的に入射させているが、第１光源ユニット２１ａが点状光源である方が照明光率が良い。一方、単一のＬＥＤで光源を構成すれば点光源を得やすいが、十分な光量を確保することは必ずしも容易でない。そこで、図３のように複数のＬＥＤ２１ｃをほぼ最密状態に配置することとして、均一な照明を達成しつつ十分な照明光量を確保できるようにしている。
【００２８】
また、本実施形態においては、中心に配置された第１ＬＥＤ２１ｃａの光束量が周辺に配置された第２ＬＥＤ２１ｃｂ〜２１ｃｇの光束量よりも大きくなっているので、光源光の損失を少なくして、液晶ライトバルブ３１を効率的に照明することができる。具体的に説明すると、中心の第１ＬＥＤ２１ｃａからの照明光は、液晶ライトバルブ３１外にほとんど入射しないので光量損失がほとんどない。しかも、中心の第１ＬＥＤ２１ｃａからの照明光の中心光束は、液晶ライトバルブ３１にほぼ垂直に入射するので、液晶ライトバルブ３１を効率的に照明することができ、液晶ライトバルブ３１による光変調効率（光量の振幅幅）を最大限に設定することができる。一方、周辺の第２ＬＥＤ２１ｃｂ〜２１ｃｇからの照明光も、各ＬＥＤに個別の集光レンズ等を適宜取り付けたり各ＬＥＤの姿勢を個別に調整すること等によって液晶ライトバルブ３１外にほとんど入射しないようにもできるが、光量損失の低減は一般に容易でない。また、周辺の第２ＬＥＤ２１ｃｂ〜２１ｃｇからの照明光の中心光束は、液晶ライトバルブ３１に一定以上の傾斜角で入射するので、液晶ライトバルブ３１を効率的に照明することができず、液晶ライトバルブ３１による光変調効率（光量の振幅幅）が低下する。以上の事情から、中心の第１ＬＥＤ２１ｃａとして、周囲の第２ＬＥＤ２１ｃｂ〜２１ｃｇよりも光束量の多いものを使用している。
【００２９】
図２に戻って、Ｂ光照明装置２３は、第２光源ユニット２３ａと、集光レンズ２３ｆとを備える。前者の第２光源ユニット２３ａは、複数のＬＥＤ２３ｃを表面実装基板２３ｄ上に２次元的配列で取り付けたものであり、各ＬＥＤ２３ｃは、３原色のうち緑（Ｂ）の範疇に含まれるＢ光をそれぞれ発生する。第２光源ユニット２３ａからの第２照明光ＩＢは、集光レンズ２３ｆによって無駄なく回収されて、光変調装置３０のうちＢ光用の液晶ライトバルブ３３に入射する。この際、各ＬＥＤ２３ｃは、液晶ライトバルブ３３上の被照射領域（画像情報形成領域）を構成する各部分領域をそれぞれ重点的に照明しつつも、集光レンズ２３ｆを介しての均一化及び重畳照明によって、液晶ライトバルブ３３上の被照射領域全体を均一に照明する。ここで、第２光源ユニット２３ａは、図３に示す第１光源ユニット２１ａと同一の構造を有しており、各ＬＥＤ２３ｃがほぼ最密状態に配列されて直列に接続されている。
【００３０】
なお、図面では省略しているが、集光レンズ２３ｆと液晶ライトバルブ３３との間にフライアイレンズやロッドインテグレータ等を配置することができる。また、例えば第２光源ユニット２３ａと集光レンズ２３ｆとの間には、偏光変換素子を配置することもできる。
【００３１】
Ｒ光照明装置２５は、第３光源ユニット２５ａと、集光レンズ２５ｆとを備える。前者の第３光源ユニット２５ａは、複数のＬＥＤ２５ｃを表面実装基板２５ｄ上に２次元的配列で取り付けたものであり、各ＬＥＤ２５ｃは、３原色のうち緑（Ｒ）の範疇に含まれるＲ光をそれぞれ発生する。第３光源ユニット２５ａからの第３照明光ＩＲは、集光レンズ２５ｆによって無駄なく回収されて、光変調装置３０のうちＲ光用の液晶ライトバルブ３５に入射する。この際、各ＬＥＤ２５ｃは、液晶ライトバルブ３５上の被照射領域（画像情報形成領域）を構成する各部分領域をそれぞれ重点的に照明しつつも、集光レンズ２５ｆを介しての均一化及び重畳照明によって、液晶ライトバルブ３５上の被照射領域全体を均一に照明する。ここで、第３光源ユニット２５ａは、図３に示す第１光源ユニット２１ａと同一の構造を有しており、各ＬＥＤ２５ｃがほぼ最密状態に配列されて直列に接続されている。
【００３２】
なお、図面では省略しているが、集光レンズ２５ｆと液晶ライトバルブ３５との間にフライアイレンズやロッドインテグレータ等を配置することができる。また、例えば第３光源ユニット２５ａと集光レンズ２５ｆとの間には、偏光変換素子を配置することもできる。
【００３３】
各液晶ライトバルブ３１，３３，３５にそれぞれ入射した各色光照明装置２１，２３，２５からの光は、これら液晶ライトバルブ３１，３３，３５によってそれぞれ２次元的に変調される。各液晶ライトバルブ３１，３３，３５を通過した各色の光は、クロスダイクロイックプリズム３７で合成されて、その一側面から射出する。クロスダイクロイックプリズム３７から射出した合成光の像は、投射光学系である投射レンズ４０に入射してプロジェクタ１０に設けた透過型スクリーン１８（図１参照）に適当な拡大率で投影される。つまり、プロジェクタ１０によって、各液晶ライトバルブ３１，３３，３５に形成された各色Ｇ，Ｂ，Ｒの画像を合成した画像が、動画又は静止画として透過型スクリーン１８上に投射される。なお、図示を省略しているが、各液晶ライトバルブ３１，３３，３５の周辺の適所には、これらの液晶ライトバルブ３１，３３，３５を偏光光で照明し読み出すため、偏光板が配置されている。
【００３４】
制御装置５０は、光源駆動装置２７に制御信号を出力して、各色光照明装置２１，２３，２５に設けた第１〜第３光源ユニット２１ａ，２３ａ，２５ａを構成する各ＬＥＤ２１ｃ，２３ｃ，２５ｃを適当なタイミングで発光させる。また、制御装置５０は、素子駆動装置３８に制御信号を出力して、各液晶ライトバルブ３１，３３，３５に投射画像の輝度に対応する２次元的な偏光特性分布を形成する。
【００３５】
以下、図１及び図２に示すプロジェクタ１０の動作について説明する。照明装置２０に設けたＧＢＲ光照明装置２１，２３，２５からの各色の照明光は、対応する液晶ライトバルブ３１，３３，３５にそれぞれ入射する。各液晶ライトバルブ３１，３３，３５は、外部からの画像信号に応じて動作する素子駆動装置３８によって変調されて２次元的屈折率分布を有しており、各色の照明光を２次元空間的に画素単位で変調する。このように、各液晶ライトバルブ３１，３３，３５で変調された照明光すなわち像光は、クロスダイクロイックプリズム３７で合成されて投射レンズ４０に入射して透過型スクリーン１８に投影される。この場合、表面実装基板２１ｄ，２３ｄ，２５ｄ上にＬＥＤ２１ｃ，２３ｃ，２５ｃをほぼ最密状態で配置しているので、均一な照明を達成しつつ十分な照明光量を確保できる。また、表面実装基板２１ｄ，２３ｄ，２５ｄ上のＬＥＤ２１ｃ，２３ｃ，２５ｃのうち中心に配置されたＬＥＤの光束量が周辺に配置されたＬＥＤの光束量よりも大きくなっているので、液晶ライトバルブ３１，３３，３５による光変調効率を高めることができる。
【００３６】
〔第２実施形態〕
以下、本発明の第２実施形態に係るプロジェクタについて説明する。第２実施形態のプロジェクタは、第１実施形態のプロジェクタを変形したものであるので、共通分にはついての説明は省略し、異なる部分についてのみ説明する。
【００３７】
図４（ａ）は、第２実施形態のプロジェクタにおける液晶ライトバルブ３１（３３，３５）の平面図であり、図４（ｂ）は、透過型スクリーン１８の平面図である。第２実施形態のプロジェクタでは、図１に示すと同様のプロジェクタ本体１４から射出された像光が透過型スクリーン１８に斜めに入射して投影されるので、液晶ライトバルブ３１に設けた台形の画像領域３１ａが透過型スクリーン１８上の矩形領域１８ａ上に投射される。つまり、透過型スクリーン１８の上側部分の拡大率は、透過型スクリーン１８の下側部分の拡大率よりも大きくなっている。なお、液晶ライトバルブ３１には、このような台形歪をキャンセルするような画像が予め形成されている。
【００３８】
図５は、第２実施形態に係るプロジェクタに組み込まれるＧ光用の第１光源ユニット１２１ａの平面図である。図からも明らかなように、第１光源ユニット１２１ａは、６つのＬＥＤ１２１ａａ〜１２１ａｆを単純にマトリックス状に配置したものとなっている。
【００３９】
図６は、Ｇ光用の液晶ライトバルブ３１の照明状態を説明する図である。液晶ライトバルブ３１上の画像領域３１ａは、第１光源ユニット１２１ａに設けた各ＬＥＤ１２１ａａ〜１２１ａｆによって照明される。この際、各ＬＥＤ１２１ａａ〜１２１ａｆは、各ＬＥＤ１２１ａａ〜１２１ａｆに対応する各部分領域ＰＡａ〜ＰＡｆをそれぞれ重点的に照明する。よって、各ＬＥＤ１２１ａａ〜１２１ａｆによる画像領域３１ａの照明が一様であるとした場合、透過型スクリーン１８の上側部分に投影される像の輝度が相対的に低下することになる。そこで、本実施形態では、透過型スクリーン１８の上側部分に対応するＬＥＤ１２１ａａ〜１２１ａｃの輝度を透過型スクリーン１８の上側部分に対応するＬＥＤ１２１ａｄ〜１２１ａｆの輝度よりも高くするべく、上側ＬＥＤ１２１ａａ〜１２１ａｃとして、下側ＬＥＤ１２１ａｄ〜１２１ａｆよりも光束量の大きなものを使用する。これにより、液晶ライトバルブ３１が歪んだ倍率で投影されることに起因する照度分布をある程度補償することができ、元の画像を輝度に関してほぼ正確に再現することができる。
【００４０】
なお、以上はＧ光についての説明であったが、Ｂ光やＲ光のＬＥＤについても同様に光束量の調整がなされており、全体として高い色再現性の画像を投射することができる。
【００４１】
以上実施形態に即して本発明を説明したが、本発明は上記実施形態に限定されるものではない。例えば、上記実施形態では、第１〜第３光源ユニット２１ａ〜２５ａを構成する発光素子としてＬＥＤを用いているが、これに代えて有機ＥＬ発光素子、レーザダイード等を用いることができる。
【００４２】
また、第１実施形態では、７個のＬＥＤを最密に配置する場合について説明したが、さらにその周囲に６個あるいは１２個のＬＥＤを配列する場合、さらに任意の輪郭形状の領域にＬＥＤを６方稠密に配列する場合にも、各ＬＥＤから延びる一対の電極端子を上述の第１方向と第２方向とにそれぞれ平行に延ばすことにより、ＬＥＤの実装密度を簡易に高めることができ、各ＬＥＤからの光源光を効率的に利用して均一な照明を達成することができる。
【図面の簡単な説明】
【００４３】
【図１】第１実施形態に係るプロジェクタを示す図である。
【図２】プロジェクタ本体の構造を概念的に説明するブロック図である。
【図３】第１光源ユニットの平面図である。
【図４】（ａ）、（ｂ）は、第２実施形態を説明する図である。
【図５】第２実施形態における光源ユニットの平面図である。
【図６】液晶ライトバルブの照明状態を説明する図である。
【符号の説明】
【００４４】
１０  プロジェクタ、    １４  プロジェクタ本体、    １６  反射ミラー、    １８  透過型スクリーン、    ２０  照明装置、    ２１  Ｇ光照明装置、    ２１ａ  第１光源ユニット、    ２１ｄ，２３ｄ，２５ｄ  表面実装基板、    ２３  Ｂ光照明装置、    ２３ａ  第２光源ユニット、    ２５  Ｒ光照明装置、    ２５ａ  第３光源ユニット、    ２７  光源駆動装置、    ３０  光変調装置、    ３１，３３，３５  液晶ライトバルブ、    ３７  クロスダイクロイックプリズム、    ４０  投射レンズ
【図１】
2005084402.tif 000003
【図２】
2005084402.tif 000004
【図３】
2005084402.tif 000005
【図４】
2005084402.tif 000006
【図５】
2005084402.tif 000007
【図６】
2005084402.tif 000008